(57)【要約】【課題】  把持部が滑りにくく手触り感も良好で、且つ、装飾性に優れた発射ハンドルを備える遊技機を得る。【解決手段】  発射ハンドル３９の把持部１６２を構成するフェース１５８の表面に、合成樹脂からなる装飾シート及び装飾シートの表面に設けられた透明な熱可塑性エラストマーからなる弾性シートを備える多層シート１７０を設ける。この多層シート１７０の装飾シートには、印刷等により多彩な色彩で自由なデザインの装飾画を容易に描画して美観及びデザインに優れた装飾を施すことができ、装飾画は装飾シートの表面に設けられた透明な弾性シートを通して視認することができる。遊技時に遊技者が発射ハンドル３９を手動操作する際には、把持部１６２を握った遊技者の手と弾性シートとの間には高い摩擦力が生じて手が滑りにくくされ、さらに、弾性シートの弾力性によって把持部１６２が手になじみ手触り感も良好になる。【選択図】        図３
2006000167.tif 000002
【特許請求の範囲】
【請求項１】
遊技領域に向けて遊技球を発射するため遊技者により手動操作される発射ハンドルを備えた遊技機であって、
前記発射ハンドルに設けられ、前記手動操作で遊技者により把持される把持部と、
前記把持部の表面に設けられ、その表面の少なくとも一部を被覆する装飾画が描画された合成樹脂からなる装飾シートと、
前記装飾シートの表面に設けられ、透明な熱可塑性エラストマーからなる弾性シートと、
を有することを特徴とする遊技機。
【請求項２】
前記装飾シートと前記弾性シートとは相互に貼り合わせられた１枚の多層シートで構成されていることを特徴とする請求項１記載の遊技機。
【発明の詳細な説明】
【技術分野】
【０００１】
本発明は、遊技機に係り、詳細には、遊技領域に向けて遊技球を発射するため遊技者により手動操作される発射ハンドルを備えた遊技機に関する。
【背景技術】
【０００２】
パチンコ機等の遊技機で遊技を行う場合、遊技者が発射ハンドルを手動操作して遊技球を遊技盤の遊技領域に向けて発射する際に、発射ハンドルを握った手が汗などで滑り易くなると、遊技球の発射力を調整する発射レバーの操作位置を微調整したり一定に保つために発射ハンドルを強く握らなければならなくなり、手に負担が掛かって疲れやすくなる。そのため、掌が接触する発射ハンドルの前面部に弾性ウレタン系塗料の塗膜を設けることにより、掌と発射ハンドル前面部の摩擦係数を高めて遊技者の疲労を軽減するようにしたものがある（例えば、特許文献１参照）。また、発射ハンドルのレバーやハンドルカバーの前面に、弾力性のあるウレタンやゴム等で形成したキャップを設けることにより、発射ハンドルを握る手や指に掛かる負担を抑えて遊技者の疲労を軽減するとともに、発射ハンドルを握ったときの感触を良好にするようにしたものがある（例えば、特許文献２参照）。
【特許文献１】特開平８−５２２５９号公報
【特許文献２】特開２００２−１９１７６７号公報
【発明の開示】
【発明が解決しようとする課題】
【０００３】
しかしながら、上述した特許文献１の場合、弾性ウレタン系塗料の塗膜では色彩が単調で見栄えが悪く、さらに塗膜を設ける範囲との兼ね合いでハンドル前面部（把持部）に装飾を施すことができる範囲が制限されるため、発射ハンドルの美観が損なわれてしまう。また、特許文献２の場合も同様に、キャップがウレタンやゴム等であるため多彩な色彩を用いて装飾することは困難であるとともに、やはりハンドル前面部における装飾範囲が狭められるため発射ハンドルの装飾性は低下してしまう。
【０００４】
本発明は上記事実を考慮して、遊技で手動操作する際に把持部が滑りにくく手触り感も良好で、且つ、装飾性に優れた発射ハンドルを備える遊技機を提供することを課題とする。
【課題を解決するための手段】
【０００５】
上記目的を達成するために請求項１に記載の発明は、遊技領域に向けて遊技球を発射するため遊技者により手動操作される発射ハンドルを備えた遊技機であって、前記発射ハンドルに設けられ、前記手動操作で遊技者により把持される把持部と、前記把持部の表面に設けられ、その表面の少なくとも一部を被覆する装飾画が描画された合成樹脂からなる装飾シートと、前記装飾シートの表面に設けられ、透明な熱可塑性エラストマーからなる弾性シートと、を有することを特徴としている。
【０００６】
請求項１に記載の発明では、遊技者による手動操作で把持される発射ハンドルの把持部は、その表面の少なくとも一部が、合成樹脂からなる装飾シート及び装飾シートの表面に設けられた透明な熱可塑性エラストマーからなる弾性シートによって被覆される。
【０００７】
この把持部の表面に設ける合成樹脂からなる装飾シートには、印刷等により、多彩な色彩で自由なデザインの装飾画を容易に描画することができるため、例えば把持部が合成樹脂製や金属製等の場合に、その把持部の表面に直接塗装して装飾を施すよりも、美観及びデザインに優れた装飾を施すことができる。また、装飾シートに描画された装飾画は、装飾シートの表面に設けられた透明な熱可塑性エラストマーからなる弾性シートを通して視認することができる。
【０００８】
この遊技機で遊技を行うために、すなわち、遊技球を遊技領域に向けて発射するために、遊技者が発射ハンドルを手動操作すると、把持部を握った遊技者の手（掌）と弾性シートとの間には高い摩擦力が生じて手が滑りにくくされ、さらに、熱可塑性エラストマーからなる弾性シートの弾力性によって把持部が手になじみ手触り感も良好になる。これにより、発射ハンドルを手動操作する際の手に掛かる負担が抑えられ、遊技者の疲労が軽減される。
【０００９】
このように、この遊技機における発射ハンドルでは、遊技で手動操作する際に把持部が滑りにくく手触り感も良好で、且つ、装飾性も向上することができる。
【００１０】
請求項２に記載の発明は、請求項１記載の遊技機において、前記装飾シートと前記弾性シートとは相互に貼り合わせられた１枚の多層シートで構成されていることを特徴としている。
【００１１】
請求項２に記載の発明では、装飾シートと弾性シートとが相互に貼り合わせた１枚の多層シートであれば、例えば発射ハンドルの把持部が成形品とされる場合に、その多層シートを把持部の成形時にインサート成形して把持部の表面に設けることができる。このように、装飾シート及び弾性シートが一度の工程で把持部の表面に設けられるため、製造コストを低減できる。
【発明の効果】
【００１２】
本発明の遊技機における発射ハンドルは上記構成としたので、遊技で手動操作する際に把持部が滑りにくく手触り感も良好で、且つ、装飾性（及び耐久性）も向上することができる。
【発明を実施するための最良の形態】
【００１３】
以下、本発明の実施形態に係るパチンコ機について図面を参照して説明する。
【００１４】
図１には本発明の一実施形態に係るパチンコ機が示され、図２には本実施形態に係るパチンコ機に適用される内枠、ガラス枠、及び遊技盤が示されている。
【００１５】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており（図２参照）、内枠１４は、外枠１２に設けられた一対のヒンジ部１６、１８に左側端部が軸支されて開閉可能に取り付けられている。また外枠１２の前面下部には、化粧パネルとなる下飾り２０が取り付けられている。
【００１６】
内枠１４の前面上部には、ガラス板２２を装着したガラスフレーム２４を窓部２５に備えるガラス枠２６が配置されており、ガラス枠２６は左側端部が内枠１４に軸支されて開閉可能に取り付けられている。また、ガラスフレーム２４に装着されたガラス板２２は、図１の紙面奥行き方向に所定の間隔で互いに平行に配置された一対のガラス板からなる二重構造となっている。このガラス枠２６の裏面側となる内枠１４の上部には、矩形状の開口部２８が設けられている（図２参照）。開口部２８には、交換可能とされた遊技盤１００がセットされており、遊技盤１００は、ガラス枠２６を内枠１４に閉塞した状態でガラス枠２６（ガラス板２２）に覆われるようになっている。
【００１７】
ガラス枠２６の前面には、遊技の進行に応じて点灯又は点滅等し照明による演出効果を生み出す演出用の表示灯１４２がガラス板２２（遊技盤１００の遊技領域１０１）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが配設されている。
【００１８】
内枠１４の前面下部には、一般的な上皿及び下皿の機能を兼ね備える打球供給皿としての一体皿３０が配置されている。一体皿３０は、パネル部材３２の左側端部が内枠１４に軸支されて開閉可能に取り付けられており、パネル部材３２の前面には、上部に遊技球を貯える球皿部３４が形成された球皿本体３６が突設されている。
【００１９】
球皿部３４の底面は、正面視にて左側から右側へ下り傾斜しており、その傾斜方向下流側となる左側には、遊技球を１列に整列してパネル部材３２の裏面に配置された球送り装置（図示省略）に送り込むための整列通路が設けられている。パネル部材３２の前面の右側上部には、パチンコ機１０内に設けられた賞球払出装置（図示省略）から払い出された賞球が排出される賞球排出口４６が形成されている。この賞球排出口４６から排出された賞球は球皿部３４に貯留され、球皿部３４内を左方向へ流下し整列通路により１列に整列されて球送り装置に送り込まれる。
【００２０】
また、パネル部材３２の前面における左側下部には灰皿３８が設けられ、右側下部には打球の発射力（飛距離）を調整するための発射ハンドル３９が取り付けられている。
【００２１】
図２に示されるように、内枠１４の前面下部における一体皿３０の裏面側には、遊技盤１００の左下に発射装置４０が配置され、球皿本体３６の後方に位置して、内枠１４に着脱可能に構成された貯球タンク４２が２個のプラスチックファスナー４３によって取り付けられている。これらの発射装置４０及び貯球タンク４２は、一体皿３０を内枠１４に閉塞すると一体皿３０に覆われるようになっている。
【００２２】
貯球タンク４２は、上面が開口した箱型とされ、底面４４が正面視にて左側から右側へ下り傾斜している。底面４４の傾斜方向上流側となる貯球タンク４２の左側面部には図示しないタンク入口が形成され、傾斜方向下流側となる貯球タンク４２の前面右側端部には、一体皿３０のパネル部材３２に設けられた賞球排出口４６と対応する位置にタンク出口４５が形成されている。したがって、一体皿３０を内枠１４に閉塞した状態では、貯球タンク４２と一体皿３０の球皿部３４とが、タンク出口４５及び賞球排出口４６を介して連通される。
【００２３】
また、一体皿３０のパネル部材３２裏面における賞球排出口４６の下方位置と、内枠１４前面の下部右側におけるタンク出口４５の下方位置とには、上下方向に移動可能とされたシャッター板がそれぞれ設けられている（図２では内枠１４側のシャッター板５０のみを図示している）。これらのシャッター板は、一体皿３０が閉塞されると各々下方へ移動して（図２に示したシャッター板５０の位置）、タンク出口４５と賞球排出口４６とを連通させ、一体皿３０が開放されると各々上方へ移動して、内枠１４側のシャッター板５０はタンク出口４５の下縁側を、一体皿３０側のシャッター板は賞球排出口４６の下縁側を塞ぐよう構成されている。このシャッター板により、一体皿３０を開放した際は、貯球タンク４２及び球皿部３４から遊技球（賞球）が流出しないようせき止められる。
【００２４】
内枠１４裏面の左側端部（正面視右側端部）には、上下方向に延出された施錠装置５２が取り付けられている。施錠装置５２の下部にはシリンダー錠（錠前）５４が設けられており、シリンダー錠５４の鍵孔５６は、内枠１４前面の右下部に設けられた台座５５から露出されている。
【００２５】
施錠装置５２の裏面側における上下端部近傍には、後方へ突出された一対の内枠固定用フック６０Ａ、６０Ｂが設けられている。施錠装置５２の前面側におけるガラス枠２６との対応位置には、一対のガラス枠固定用フック６２Ａ、６２Ｂが設けられており、このガラス枠固定用フック６２Ａ、６２Ｂは、内枠１４前面の右側端部に形成されたスリット６４Ａ、６４Ｂを通して前方へ突出されている。また、施錠装置５２の前面側における一体皿３０との対応位置には、上下方向にスライドする一対の一体皿固定用鍵受け部材６６Ａ、６６Ｂが設けられている。
【００２６】
これにより、内枠１４を外枠１２に閉塞すると、施錠装置５２の内枠固定用フック６０Ａ、６０Ｂが外枠１２の正面視右内側面設けられた一対の鍵受け部（図示省略）に係合し、内枠１４は外枠１２に保持される。ガラス枠２６を内枠１４に閉塞すると、ガラス枠２６裏面の右側端部に取り付けられているガラス枠補強板６８に設けられた一対の鍵受け部７０Ａ、７０Ｂが施錠装置５２のガラス枠固定用フック６２Ａ、６２Ｂに係合し、ガラス枠２６は内枠１４に保持される。また、一体皿３０を内枠１４に閉塞すると、一体皿３０裏面の右側端部に取り付けられている一対のフック（図示省略）が施錠装置５２の一体皿固定用鍵受け部材６６Ａ、６６Ｂに係合し、一体皿３０は内枠１４に保持される。
【００２７】
また、内枠固定用フック６０Ａ、６０Ｂ及びガラス枠固定用フック６２Ａ、６２Ｂは、シリンダー錠５４の鍵孔５６に図示しない鍵を差し込んで所定の方向に回すことにより、それぞれ係合状態が解除され解錠されるようになっている。一体皿固定用鍵受け部材６６Ａ、６６Ｂは、ガラス枠２６を開放すると露出される施錠装置５２の解除レバー７２を押し下げることにより、一体皿固定用鍵受け部材６６Ａ、６６Ｂが下方へスライドして一体皿３０の各フックとの係合状態が解除されるようになっている。
【００２８】
この施錠装置５２により、内枠１４は外枠１２に、ガラス枠２６は内枠１４にそれぞれ施錠されるとともに、一体皿３０は内枠１４にロックされて、それぞれ閉塞状態に固定される。
【００２９】
図２に示されるように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２、内レール１０４によって囲まれた円形状の領域は、遊技球が移動可能な遊技領域１０１とされている。
【００３０】
遊技領域１０１には、液晶ディスプレイを内蔵した特別図柄表示装置や、入賞口、始動口（スタート・チャッカー）、通過入賞口（スルー・チャッカー）、又、大入賞口（アタッカー）を備えた変動入賞装置（特別電動役物）がそれぞれ所定の位置に配置されると共に、遊技領域１０１内を落下する遊技球を所定の経路に誘導する多数の遊技釘等が設けられており（何れも図示省略）、最下位置にアウト口１２４が配置されている。
【００３１】
次に、本実施形態に係るパチンコ機１０における発射ハンドル３９について説明する。
【００３２】
上述したように、パチンコ機１０で遊技を行うために、すなわち、遊技盤１００の遊技領域１０１に向けて遊技球を発射するために、遊技者により手動操作される本実施形態の発射ハンドル３９は、一体皿３０のパネル部材３２前面における右側下部に配置されている。
【００３３】
図３及び図４に示されるように、発射ハンドル３９は、その本体部を構成する段付き円筒形状のハンドル本体１５０を備えている。ハンドル本体１５０は、後側部分が発射ハンドル３９をパネル部材３２の前面に取り付けるための取付部１５２とされ、前側部分が取付部１５２よりも大径の把持部本体１５４とされている。把持部本体１５４には、外周部に発射レバー１５６が挿着され、前面部に開口１５５を塞ぐフェース１５８及びフェースキャップ１６０が取り付けられている。この発射ハンドル３９において、発射ハンドル３９を手動操作する際に手で握られる把持部（ハンドル部）１６２は、ハンドル本体１５０の把持部本体１５４、及び把持部本体１５４に設けられた発射レバー１５６、フェース１５８及びフェースキャップ１６０によって構成されている。
【００３４】
発射レバー１５６は、把持部本体１５４に挿着可能な大きさのリング状とされ、その外周面には、把持部１６２を握ったときに指を引っ掛けるための３個の突起部１６４が径方向に突設されている。この発射レバー１５６は、把持部本体１５４に軸心Ｌを中心として図３の矢印Ａ及び矢印Ｂ方向へ回動可能に取り付けられるとともに、図示しないバネ部材によって矢印Ａ方向へ付勢され、通常は図１に示す回動位置に停止されている。
【００３５】
把持部本体１５４の前面部に装着されるフェース１５８は、ＡＢＳ等の合成樹脂材料による成形品とされ、図４及び図５に示されるように平底の椀状に形成されている。フェース１５８における内底面の反対側となる前面側には、内側（後側）へ少し凹まされた正面視円形の凹状部１６６が設けられており、凹状部１６６の内周縁部には、フェースキャップ１６０を取り付けるための３個の取付孔１６８が形成されている。また、凹状部１６６を含むフェース１５８の表面１５８Ａには、図５（Ａ）〜（Ｃ）に示されるように、装飾シート１７２と弾性シート１７４とが相互に貼り合わせられて構成された多層シート１７０が設けられている。
【００３６】
多層シート１７０の裏面側に配置されてフェース１５８の表面１５８Ａに接する装飾シート１７２は、透明で且つフェース１５８と同系の合成樹脂材料（ＡＢＳ等）によって形成されており、この装飾シート１７２の裏面には装飾画１７６が描画されている。多層シート１７０の表面側に配置された弾性シート１７４は、透明な熱可塑性エラストマーによって形成されており、本実施形態では、この熱可塑性エラストマーとして、高い弾性を有し、硬質樹脂との熱融着性、耐油性、耐熱性、耐磨耗性に優れたポリエステル系熱可塑性エラストマー（商品名「プリマロイ（Ａ１７００Ｎ）」：三菱化学社製）を用いている。多層シート１７０は、これらの装飾シート１７２及び弾性シート１７４が接着又は加熱加圧（熱融着）等により貼り合わせられることで構成されており、素材の状態では長尺帯状とされてロール状に巻かれている。
【００３７】
そしてこの多層シート１７０は、素材の状態で装飾シート１７２の裏面に、オフセットグラビア印刷やシルクスクリーン印刷等の印刷方法によって装飾画１７６が描画され、加熱成形によりフェース１５８の表面１５８Ａを被覆する形状に加工されてから、フェース１５８の成形時にインサート成形されることにより、図５（Ｂ）及び（Ｃ）に示されるように、フェース１５８の表面１５８Ａを被覆するように設けられている。また、本実施形態では、装飾シート１７２の厚さを０．３〜０．５ｍｍ、弾性シート１７４の厚さを０．３〜０．５ｍｍとして、多層シート１７０の厚さを０．６〜１ｍｍとしている。
【００３８】
フェース１５８の凹状部１６６に嵌着されるフェースキャップ１６０は、ＡＢＳ等の合成樹脂材料による成形品とされ、図４及び図５に示されるように凹状部１６６に嵌合可能な大きさの球面状に形成されている。フェースキャップ１６０の内面（裏面）における縁部には、フェースキャップ１６０の取付孔１６８に対応する３個の取付片１７８が一体的に設けられている（図４では取付片１７８を２個のみ図示している）。また、各取付片１７８は弾性変形可能とされ、先端部には外側へ突出されたツメ部１８０が形成されている。
【００３９】
そしてこのフェースキャップ１６０は、図４に示される向きで、各取付片１７８がフェース１５８の各取付孔１６８に挿入され、取付片１７８の弾性力によってツメ部１８０が取付孔１６８の内縁部に係止することにより、図３及び図５に示されるようにフェース１５８の凹状部１６６に嵌め込まれて取り付けられている。
【００４０】
本実施形態の発射ハンドル３９は以上の構成からなり、上述したように、図３に示される組立状態では、把持部１６２におけるフェース１５８のみに多層シート１７０が設けられた構成とされている。パチンコ機１０の遊技では、この発射ハンドル３９の把持部１６２を遊技者が右手で握り、発射レバー１５６の各突起部１６４に指を引っ掛け付勢力（バネ力）に抗して発射レバー１５６を矢印Ｂ方向（時計回転方向）へ回動させると、発射装置４０が作動して遊技球が発射され、その発射力は発射レバー１５６の回動角度に応じて調整される。
【００４１】
次に、以上説明した本実施形態に係るパチンコ機１０における発射ハンドル３９を手動操作する際の作用について説明する。
【００４２】
上述したように、遊技者による手動操作で把持される発射ハンドル３９の把持部１６２は、その表面の一部を構成するフェース１５８が、合成樹脂からなる装飾シート１７２及び装飾シート１７２の表面に設けられた透明な熱可塑性エラストマーからなる弾性シート１７４を備える多層シート１７０によって被覆されている。
【００４３】
この把持部１６２の表面を構成するフェース１５８の表面１５８Ａに設けられた合成樹脂からなる装飾シート１７２には、オフセットグラビア印刷やシルクスクリーン印刷等により、多彩な色彩で自由なデザインの装飾画１７６を容易に描画することができるため、例えば把持部が合成樹脂製や金属製等の場合に、その把持部の表面に直接塗装して装飾を施すよりも、美観及びデザインに優れた装飾を施すことができる。また、装飾シート１７２に描画された装飾画１７６は、装飾シート１７２の表面に設けられた透明な熱可塑性エラストマーからなる弾性シート１７４を通して視認することができる。
【００４４】
さらに、本実施形態では、把持部１６２の前面部分をフェース１５８及びフェースキャップ１６０によって構成するとともに、多層シート１７０はフェース１５８のみに設けているため、フェースキャップ１６０には塗装やクロムメッキ等によって多層シート１７０とは異なる質感の装飾を施すことができる。これにより、発射ハンドル３９の把持部１６２に更に多彩な装飾を施すことができる。
【００４５】
このパチンコ機１０で遊技を行うために、すなわち、遊技球を遊技盤１００の遊技領域１０１に向けて発射するために、遊技者が発射ハンドル３９を手動操作すると、把持部１６２を握った遊技者の手（掌）と弾性シート１７４との間には高い摩擦力が生じて手が滑りにくくされ、さらに、弾性シート１７４の弾力性によって把持部１６２が手になじみ手触り感も良好になる。これにより、発射ハンドル３９を手動操作する際の手に掛かる負担が抑えられ、遊技者の疲労が軽減される。
【００４６】
このように、本実施形態のパチンコ機１０における発射ハンドル３９では、遊技で手動操作する際に把持部１６２が滑りにくく手触り感も良好で、且つ、装飾性も向上することができる。
【００４７】
また、本実施形態では、装飾シート１７２と弾性シート１７４とは相互に貼り合わせられた１枚の多層シート１７０で構成されていることにより、上述したように把持部１６２を構成するフェース１５８が成形品とされる場合に、多層シート１７０をフェース１５８の成形時にインサート成形してフェース１５８の表面１５８Ａに設けることができる。このように、装飾シート１７２及び弾性シート１７４が一度の工程でフェース１５８の表面１５８Ａに設けられるため、製造コストを低減できる。
【００４８】
また、多層シート１７０の装飾シート１７２をフェース１５８と同系の合成樹脂材料で形成していることにより、インサート成形による熱融着性が良好となって容易に剥離することなく耐久性が高められる。また、弾性シート１７４を耐磨耗性にも優れた熱可塑性エラストマーで形成していることにより、発射ハンドル３９が長時間の使用される場合でも弾性シート１７４の磨耗が抑えられ美観が保たれる。
【００４９】
以上、本発明を上述した特定の実施形態により詳細に説明したが、本発明はそれに限定されるものではなく、本発明の範囲内にて他の種々の実施形態が可能である。
【００５０】
例えば、上述した実施形態では発射ハンドル３９の把持部１６２を構成するフェース１５８のみに多層シート１７０を設けているが、多層シート１７０を設ける部位はこれに限らず、例えばフェースキャップ１６０の表面や発射レバー１５６の突起部１６４等にも設けることが可能である。
【図面の簡単な説明】
【００５１】
【図１】本発明の一実施形態に係るパチンコ機を示す正面図である。
【図２】図１のパチンコ機における内枠、ガラス枠、及び遊技盤を示す正面側から見た斜視図である。
【図３】本発明の一実施形態に係る発射ハンドルを示す斜視図である。
【図４】本発明の一実施形態に係る発射ハンドルを示す分解斜視図である。
【図５】本発明の一実施形態に係る発射ハンドルに設けられたフェース及びフェースキャップを示す（Ａ）が側面図、（Ｂ）が（Ａ）の５Ｂ−５Ｂ線断面図、（Ｃ）がフェースにおける（Ｂ）のＣ部の拡大図である。
【符号の説明】
【００５２】
１０        パチンコ機
３９        発射ハンドル
１０１        遊技領域
１５８        フェース
１５８Ａ      表面
１６２        把持部
１７０        多層シート
１７２        装飾シート
１７４        弾性シート
１７６        装飾画
【図１】
2006000167.tif 000003
【図２】
2006000167.tif 000004
【図３】
2006000167.tif 000005
【図４】
2006000167.tif 000006
【図５】
2006000167.tif 000007